(57)【特許請求の範囲】
【請求項１】
製品を収納すべき箱体と、前記箱体の外面に貼り付けられたシート状のラベルと、を備えた包装装置において、
前記ラベルは前記製品の各種情報が表面側に表示される表示部と該表示部から一体的に連接形成される引き剥がし用の舌片部を有し、
前記表示部が前記箱体に貼り付けられる部位であり、前記舌片部はシート厚み方向に折り曲げ自在とされ、該舌片部が折り曲げられた状態で、当該舌片部が差し込まれるスリット孔が前記箱体に設けられ、
前記ラベルの前記舌片部と前記表示部との境界には、当該舌片部が前記ラベルの表面側に谷折りされる谷折曲げ線が形成され、さらに、
前記舌片部には前記谷折曲げ線と並設してこの谷折曲げ線とは逆方向に山折りされる山折曲げ線が形成され、該山折曲げ線を介して山折りされる部位を先舌部となし、該先舌部が前記スリット孔に差し込まれている
ことを特徴とする包装装置。
【請求項２】
前記スリット孔に差し込まれて前記箱体内に位置する前記舌片部若しくは前記先舌部を引き出すように、取扱者の指が挿入される開口部が前記スリット孔に近接して設けられることを特徴とする請求項１に記載の包装装置。
【請求項３】
製品を収納すべき箱体と、前記箱体の外面に貼り付けられたシート状のラベルと、を備えた包装装置において、
前記ラベルは前記製品の各種情報が表面側に表示される表示部と該表示部から一体的に連接形成される引き剥がし用の舌片部を有し、
前記表示部が前記箱体に貼り付けられる部位であり、前記舌片部はシート厚み方向に折り曲げ自在とされ、該舌片部が折り曲げられた状態で、当該舌片部が差し込まれるスリット孔が前記箱体に設けられ、
前記スリット孔を一辺とし、該一辺と対向する折曲予定線を有し、該折曲予定線と前記一辺とは一対の切断予定線で接続されることによって窓開閉片が形成されることを特徴とする包装装置。
【発明の詳細な説明】
【技術分野】
【０００１】
本発明は、複写機、ファクシミリ、プリンタなどの製品を包装するために用いられる包装装置に関するものである。
【背景技術】
【０００２】
複写機、ファクシミリ、プリンタなどの製品の梱包手段として、一般的な形態として知られている段ボール製からなるＡ式（みかん箱タイプ）の梱包箱が用いられている。そして、図７に示すように、製品を包装するために用いられる包装装置においては、梱包箱Ｂに商品情報コード（バーコード）等を表示した感熱紙、紙以外の材料からなるラベルＲが貼り付けられることがあるが、梱包箱Ｂを廃棄する際、リサイクル上、ラベルＲを剥がす必要があり、その対応としてラベルＲの端にラベル引き剥がし用のベロ部Ｒ１が設けられている。ところが、このような包装装置においては、輸送、運搬中にラベルＲと他の梱包箱Ｂが擦れあってラベルＲのベロ部Ｒ１からラベルＲが剥れてしまう問題がある。
【０００３】
この問題を解決するための技術手段としては、製品の保証書等の添付印刷物が抜け落ちなく、取り出しを容易にするものが知られている（特許文献１、特許文献２参照）。
【０００４】
【特許文献１】特開２００１―１０６２２２号公報
【特許文献２】特開平８―１９８２３９号公報
【発明の概要】
【発明が解決しようとする課題】
【０００５】
しかし、従来の特許文献１、特許文献２に記載される技術手段は、製品の保証書等の販売店での取り出し性を容易にすることを重視した技術であり、印刷物が梱包箱の中（内側）に入った構成となっているために、梱包箱の外側に出す必要のある商品情報コード（バーコード）等を表示したラベル等の添付印刷物においては、この添付印刷物が梱包箱の中に入ってしまって容易にラベル等の表示を確認することができない問題があるため、かかる添付印刷物を使用することができないので、梱包箱の外面に付けられ、その表示内容が確認可能な簡易な技術の提案が望まれている。
【０００６】
本発明は、上記課題を解決するために鑑み、輸送、運搬中でのラベル剥がれを防止し、かつ、ラベルの貼着時や剥離時の作業性を良好にするようにした包装装置を提供する。
【課題を解決するための手段】
【０００７】
上記課題を解決するために、本発明の包装装置は、製品を収納すべき箱体と、前記箱体の外面に貼り付けられたシート状のラベルと、を備えた包装装置において、前記ラベルは前記製品の各種情報が表面側に表示される表示部と該表示部から一体的に連接形成される引き剥がし用の舌片部を有し、前記表示部が前記箱体に貼り付けられる部位であり、前記舌片部はシート厚み方向に折り曲げ自在とされ、該舌片部が折り曲げられた状態で、当該舌片部が差し込まれるスリット孔が前記箱体に設けられることを特徴とする。
【０００８】
上記構成とすることにより、ラベルの舌片部はスリット孔を介して箱体の内方に位置しているため、他の箱体と舌片部との擦れあいを無くすことができるため、輸送、運搬中においてラベルが容易に剥れない包装装置を提供することができる。
【０００９】
また、前記ラベルの前記舌片部と前記表示部との境界には、当該舌片部が前記ラベルの表面側に谷折りされる谷折曲げ線が形成され、さらに前記舌片部には前記谷折曲げ線と並設してこの谷折曲げ線とは逆方向に山折りされる山折曲げ線が形成され、該山折曲げ線を介して山折りされる部位を先舌部となし、該先舌部が前記スリット孔に差し込まれていることを特徴とすることにより、ラベルの先舌部は二個所（谷折曲げ線と山折曲げ線）で折り曲げられてスリット孔に差し込むことができるため、当該スリット孔に差し込む際の先舌部の取り扱いがし易く、ラベルの貼り付け作業性が向上し、かつ、先舌部は山折曲げ線で折り曲げられ、箱体の外面に貼り付いていない舌片部は谷折曲げ線で折り曲げられているため、箱体から引き出す際、先に舌片部が谷折曲げ線で折り曲げられて箱体の外面から離れるように変位することにより、先舌部の引き出しが容易に行える包装装置を提供することができる。
【００１０】
また、上記課題を解決するために、本発明の包装装置の前記箱体において、前記スリット孔に差し込まれて前記箱体内に位置する前記舌片部若しくは前記先舌部を引き出すように、取扱者の指が挿入される開口部が前記スリット孔に近接して設けられることを特徴とすることにより、箱体に貼り付けられているラベルを剥がす場合には開口部に指を入れて、直接舌片部を引き出し、その後、舌片部をつまんで引っ張ることでラベルを引き剥がすことができる包装装置を提供することができる。
【００１１】
また、上記課題を解決するために、本発明の包装装置の前記箱体において、前記スリット孔を一辺とし、該一辺と対向する折曲予定線を有し、該折曲予定線と前記一辺とは一対の切断予定線で接続されることによって窓開閉片が形成されることを特徴とすることにより、開口部に指を入れて切断予定線を切断して窓開閉片を外側に開けると、かかる個所の開口状態が大きくなるので、舌片部、先舌部の引き出しがし易く、ラベルの引き剥がしがさらに容易にできる。しかも、窓開閉片は折曲予定線で繋がっているため、窓開閉片を元に戻してテープなどにより再固定すれば、箱体はラベルを剥がす前の形状になり、必要に応じて廃棄せず、再使用できる包装装置を提供することができる。
【図面の簡単な説明】
【００１２】
【図１】本発明に係る包装装置箱の基本形態の斜視図。
【図２】ラベルの構造模式図。
【図３】他のラベルの構造模式図。
【図４】他の箱体の構造模式図。
【図５】他の箱体の構造模式図。
【図６】窓開閉片の操作によるラベル引き剥がし状態を示す模式図。
【図７】従来の梱包箱による不具合を示す模式図。
【発明を実施するための形態】
【００１３】
以下、本発明の実施の形態につき図面を参照して説明する。図１は本発明の実施の形態に係る包装装置の基本形態を示す斜視図である。図１において包装装置１は、複写機、ファクシミリ、プリンタなどの図示しない製品としての被包装体を収納する箱体１１と、該箱体１１に貼り付けられているラベル２１から構成される。
【００１４】
箱体１１は、底板部１１ａ、複数の側板部１１ｂ、天板部１１ｃによって直方体状に形成される。具体的な箱体１１は、連続した４枚の矩形状の側板部１１ｂにより枠状に形成された側枠１１ｄと、この側枠１１ｄを形成する４枚の側板部１１ｂの上端縁に設けられた上部開閉片１１ｅが折り畳まれ結合されて形成される矩形状の天板部１１ｃと、側枠１１ｄを形成する４枚の側板部１１ｂの下端縁に設けられた下部開閉片１１ｆが折り畳まれ結合されて形成される矩形状の底板部１１ａによって形成される直方体状のＡ式の段ボール箱である。
【００１５】
また、箱体１１の外面として側板部１１ｂには、貼り付けられるラベル２１における後述する舌片部２２が差し込まれるスリット孔１１ｇが形成されている。なお、箱体１１には、持ち運ぶ際に使用する手掛け穴１２が形成されている。
【００１６】
また、図２に示すように、ラベル２１は箱体１１の外面（本例では側板部１１ｂ）に貼り付けられるように基材シート２０によって矩形形態を呈するようにシート状に形成される。この基材シート２０は箱体１１の材質（段ボール）とは異なる材質として、印字用のラベルに用いられる一般的な材質が適用可能であり、例えば、ＰＥＴ（ポリエチレンテレフタレート）樹脂、ＰＰ（ポリプロピレン）樹脂、ＰＥ（ポリエチレン）樹脂、ＰＳ（ポリスチレン）樹脂などで製作される。
【００１７】
ラベル２１は製品の各種情報が表面側に表示される表示部２１ａと該表示部２１ａから一体的に連接形成される引き剥がし用であって取扱者の指でつまむことが可能であり、かつ箱体１１の外面に貼り付けられない舌片部２２を有している。
【００１８】
このラベル２１の表示部２１ａが箱体１１に貼り付けられる部位であり、舌片部２２はシート厚みＴ方向に折り曲げ自在とされるように、表示部２１ａと舌片部２２との境界には、ミシン目、ハーフカット、罫線（折り曲げるために線状に厚みを潰した状態）などによって形成される折り曲げ線２３が設けられている。そして、折り曲げ線２３を介して舌片部２２が折り曲げられた状態で箱体１１のスリット孔１１ｇに差し込まれている。
【００１９】
なお、スリット孔１１ｇのスリット幅はラベル２１の舌片部２２の厚みよりも若干大きく形成することにより、スリット孔１１ｇに舌片部２２が差し込み易くなるようにしている。
【００２０】
ラベル２１の表示部２１ａは、基材シート２０の表面に常温では無色であるが、所定の温度に加熱すると発色し、温度を変えてもこの発色状態が維持される感熱記録組成物を主体とした感熱記録層２０ａを有し、バーコードなどの印字を行うラベルプリンタ（図示せず）によって、商品名、価格、バーコードまたは二次元コード、製造業者などの印字が行われる領域とされる。なお、感熱記録組成物は、ラベルプリンタ用の感熱紙として一般的に使用される組成物が使用可能である。
【００２１】
また、基材シート２０における表示部２１ａの裏面側に対応する部位のみに粘着層２１ｂが設けられる。この粘着層２１ｂは、ラベル用の粘着剤として広範に使用されているエマルジョン型粘着剤や溶剤型粘着剤、あるいはホットメルト型粘着剤やＵＶ硬化型粘着剤のような無溶剤型粘着剤が使用可能である。なお、舌片部２２の裏面に粘着層２１ｂは形成されていない。
【００２２】
このように、ラベル２１の表示部２１ａに商品名、価格、バーコードまたは二次元コード、製造業者などが印字された後、折り曲げ線２３を介して舌片部２２をシート厚みＴ方向に折り曲げ、その後、舌片部２２をスリット孔１１ｇに差し込むとともに、表示部２１ａの裏面の粘着層２１ｂでもって箱体１１の外面に粘着固定することにより包装装置１となる。
【００２３】
また、他の実施の形態としてのラベル２１を図３ないし図６に示す。この例による他の構成部材について、上述の他の実施の形態における構成部材と同様な部材は、図中に同一符号を付して、その詳細な説明は省略する。
【００２４】
本例によるラベル２１は表示部２１ａと舌片部２２から構成され、さらに舌片部２２は先舌部２４が含まれるように形成されるものである。具体的には、舌片部２２は折り曲げ線２３を介して表示部２１ａと一体的に連接形成される。この折り曲げ線２３は当該舌片部２２がラベル２１の表面側に谷折りされる谷折曲げ線とされる。
【００２５】
さらに、舌片部２２には谷折曲げ線（折り曲げ線２３）と並設して、この谷折曲げ線とは逆方向に山折りされる山折曲げ線としての第二の折り曲げ線２５が形成され、この山折曲げ線を介して山折りされる部位を先舌部２４となし、該先舌部２４が箱体１１のスリット孔１１ｇに上述と同様に差し込まれる。
【００２６】
また、舌片部２２、先舌部２４には粘着剤が付着されていないが、ラベル２１が箱体１１の外面に貼り付けられ、山折曲げ線からラベル２１の左端部までのエリアの先舌部２４は完全に箱体１１に設けられたスリット孔１１ｇに挿入されている構成となっているので、ラベル２１が箱体１１の外面に貼り付けられ、かつ、輸送、運搬中にラベル２１が容易に箱体１１から剥がれることがない。
【００２７】
また、図４に示すように、この先舌部２４が差し込まれる箱体１１のスリット孔１１ｇに近接した側板部１１ｂに開口部２６を設けることもできる。この開口部２６は箱体１１のスリット孔１１ｇに差し込まれて箱体１１内に位置する先舌部２４を引き出すように、取扱者の指Ｆが挿入される程度の大きさに開口されている。具体的には、スリット孔１１ｇと連続して半円形状に開口部２６が開口形成されている。この開口部２６は前述の舌片部２２のみが形成されるラベル２１を使用する場合の当該舌片部２２が差し込まれるスリット孔１１ｇにも適用できる。
【００２８】
また、図５に示すように、箱体１１においては、スリット孔１１ｇを一辺１１ｇ１とし、該一辺１１ｇ１と対向するミシン目、ハーフカット、罫線（折り曲げるために線状に厚みを潰した状態）などで形成される折曲予定線２７を有し、該折曲予定線２７と一辺１１ｇ１とは一対のミシン目、ハーフカットなどからなる切断予定線２８で接続することによって窓開閉片２９を形成することもできる。この窓開閉片２９は容易に運送、運搬中に開いてしまうことがない。
【００２９】
このように、ラベル２１の表示部２１ａに商品名、価格、バーコードまたは二次元コード、製造業者などが印字された後、谷折曲げ線（折り曲げ線２３）を介して舌片部２２をシート厚みＴ方向に谷折りし、さらに山折曲げ線（第二の折り曲げ線２５）を介して先舌部２４をシート厚みＴ方向に山折りし、その後、先舌部２４をスリット孔１１ｇに差し込むとともに、表示部２１ａの裏面の粘着層２１ｂでもって箱体１１の外面に粘着固定することにより包装装置１となる。なお、このラベル２１の場合には、谷折曲げ線と山折曲げ線との間の舌片部２２は粘着材が付着していない状態で箱体１１の外面に位置することとなる。
【００３０】
したがって、ラベル２１の先舌部２４は二個所（谷折曲げ線と山折曲げ線）で折り曲げられてスリット孔１１ｇに差し込むことができるため、当該スリット孔１１ｇに差し込む際の先舌部２４の取り扱いがし易く、ラベル２１の貼り付け作業性が向上することとなる。
【００３１】
かかる包装装置1を廃棄する際は、図４に示す開口部２６が形成される箱体１１であれば、この箱体１１に貼り付けられているラベル２１を剥がす場合には、半円形状の開口部２６に指Ｆを入れて、直接舌片部２２、先舌部２４を引き出し、その後、舌片部２２、先舌部２４をつまんで引っ張ることでラベル２１を箱体１１から引き剥がすことができる。
【００３２】
このように、先舌部２４は山折曲げ線で折り曲げられ、箱体１１の外面に貼り付いていない舌片部２２は谷折曲げ線で折り曲げられているため、箱体１１から引き出す際、先に舌片部２２が谷折曲げ線で折り曲げられて箱体１１の外面から離れるように変位することにより、先舌部２４の引き出しが容易に行えることとなる。
【００３３】
また、窓開閉片２９が形成される箱体１１であれば、図６に示すように、半円形状の開口部２６に指を入れて、切断予定線２８を切断するようにして窓開閉片２９を外側に開ける操作をすることにより、かかる個所の開口状態を大きくし、舌片部２２、先舌部２４を引き出すことができる。このように、窓開閉片２９を開けて開口状態を大きくしているため、ラベル２１の箱体１１からの引き剥がしがさらに容易にできることとなる。
【００３４】
このように、ラベル２１を剥がした後、窓開閉片２９は折曲予定線２７で繋がっているため、窓開閉片２９を元に戻してテープなどにより再固定すれば、箱体１１はラベル２１を剥がす前の形状になり、必要に応じて廃棄せず、再使用することもできる。
【００３５】
なお、上述の実施の形態は、本発明の一例であり、箱体１１に貼り付けるラベル２１の枚数、形状及び位置、また、箱体１１のスリット孔１１ｇの形状については、これに限定されなく、本発明を逸脱しない限りにおいて種々の変更が可能であり、実施の形態の構成要素を任意に組み合わせる形で構成することも可能である。
【符号の説明】
【００３６】
１            包装装置
１１          箱体
１１ｇ        スリット孔
１１ｇ１      一辺
２１          ラベル
２１ａ        表示部
２２          舌片部
２３          折り曲げ線（谷折曲げ線）
２４          先舌部
２５          第二の折り曲げ線（山折曲げ線）
２６          開口部
２７          折曲予定線
２８          切断予定線
２９          窓開閉片
Ｔ            シート厚み
【図１】
0005578408.tif 000002
【図２】
0005578408.tif 000003
【図３】
0005578408.tif 000004
【図４】
0005578408.tif 000005
【図５】
0005578408.tif 000006
【図６】
0005578408.tif 000007
【図７】
0005578408.tif 000008